(57)【要約】【課題】インクジェットプリンタが傾いた姿勢に置かれた場合でも、インクが外部へ漏れ出ることの無い廃インクタンク、この廃インクタンクを備えたインクジェット記録装置、並びに液体噴射装置を提供すること。【解決手段】インク収容部１３を構成するケーシング１０と、前記インク収容部１３に配置されるインク吸収材１８とを備えており、前記インク収容部１３には、当該インク収容部１３全体の連通を保ちつつ、廃インクの一方向への移動を妨げる堰となる壁２０が設けられていることを特徴とする。【選択図】図４
2005297495.tif 000002
【特許請求の範囲】
【請求項１】
インク収容部を構成するケーシングと、
前記インク収容部に配置されるインク吸収材とを備えており、
前記インク収容部には、当該インク収容部全体の連通を保ちつつ、廃インクの一方向への移動を妨げる堰となる壁が設けられていることを特徴とする、廃インクタンク。
【請求項２】
請求項１において、前記堰となる壁は、平面視Ｔ形状に成形されていることを特徴とする、廃インクタンク。
【請求項３】
区画壁によって複数の区画エリアに区画されたインク収容部を構成するケーシングと、
それぞれの区画エリアに配置されるインク吸収材とを備えており、
前記インク吸収材の厚みが１２ｍｍ以下であることを特徴とする、廃インクタンク。
【請求項４】
被記録媒体に記録を実行するインクジェット記録ヘッドと、前記記録ヘッドに対向して配置され、被記録媒体を支承するプラテンとを備えるインクジェット記録装置であって、
前記プラテンの下方に、請求項１から請求項３のいずれか一項に記載の廃インクタンクが設けられていることを特徴とする、インクジェット記録装置。
【請求項５】
被噴射媒体に液体を噴射する液体噴射ヘッドと、前記液体噴射ヘッドに対向して配置され、被噴射媒体を支承するプラテンとを備える液体噴射装置であって、
前記プラテンの下方に、被噴射媒体に付着しなかった液体を収容する廃液体タンクが設けられており、
前記廃液体タンクは、液体収容部を構成するケーシングと、前記液体収容部に配置される液体吸収材とを備えており、前記液体収容部には、当該液体収容部全体の連通を保ちつつ、廃液体の一方向への移動を妨げる堰となる壁が設けられていることを特徴とする、液体噴射装置。
【発明の詳細な説明】
【技術分野】
【０００１】
本発明は、インクジェット記録ヘッド（以下単に記録ヘッドということがある）から吐出され、被記録媒体に付着せずに打ち捨てられるインク等を吸収するインク吸収材を具備した廃インクタンク、この廃インクタンクを備えたインクジェット記録装置、並びに液体噴射装置に関する。
【０００２】
ここで液体噴射装置とは、インクジェット記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味である。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
以下、インクジェット記録装置或いは液体噴射装置の一例としてのインクジェットプリンタを例に挙げて説明する。近年、ホームＤＰＥと称されるが如く、銀塩写真並の超高画質印刷を家庭で容易に実現可能なインクジェットプリンタが一般に広く普及しており、そしてこのようなインクジェットプリンタには、銀塩写真と同等な出力結果を得る為に四辺に余白無しで印刷する、いわゆる「縁無し印刷」が実行可能に構成されたものがある。
【０００５】
このようなインクジェットプリンタの構成としては、記録ヘッドと対向して設けられ、記録用紙と記録ヘッドとの距離を規定するプラテンに凹部を設け、用紙端部から外れた領域にインクを吐出するとともに当該外れた領域に吐出するインクを前記凹部に打ち捨てる構成が一般的である。
【０００６】
ここで前記凹部には、打ち捨てられるインクのミスト化による浮遊を極力防止する為に、インクを吸収するインク吸収材が設けられる。そして、プラテンのインク吸収材に吸収されたインクは、インク回収誘導経路を経て廃インクタンクに達するように構成される。
【０００７】
また、インクジェットプリンタにおいて廃インクを貯蔵する廃インク貯蔵部の構造については、廃インク収容室を区画したもの（特許文献１参照）や、廃インク吸収材を分割したもの（特許文献２参照）が報告されている。
【０００８】
【特許文献１】特開平８−３１８６３０号公報
【特許文献２】特開平１０−２８６９７８号公報
【発明の開示】
【発明が解決しようとする課題】
【０００９】
ところで、廃インクタンク内にはインクを吸収するインク吸収材が設けられているが、このインク吸収材にある程度のインクが吸収されている状態で、例えば輸送時等にインクジェットプリンタが傾いた姿勢（特に、使用時の姿勢から横に９０度寝かされた状態）に置かれると、吸収されていた廃インクが重力によって下方に移動して廃インクタンクの下端部に集まり、水頭値が大きくなって廃インクを保持することができなくなり、外部へ漏れ出てしまう虞があった。
【００１０】
そこで本発明はこのような問題に鑑みなされたものであり、その目的は、インクジェットプリンタが傾いた姿勢に置かれた場合でも、インクが外部へ漏れ出ることの無い廃インクタンク、この廃インクタンクを備えたインクジェット記録装置、並びに液体噴射装置を提供することにある。
【課題を解決するための手段】
【００１１】
上記課題を解決するため、本発明の第１の態様に係る廃インクタンクは、インク収容部を構成するケーシングと、前記インク収容部に配置されるインク吸収材とを備えており、前記インク収容部には、当該インク収容部全体の連通を保ちつつ、廃インクの一方向への移動を妨げる堰となる壁が設けられていることを特徴とする。
【００１２】
本発明において「廃インク」とは、例えば被記録媒体（用紙）に余白無く印刷する、いわゆる「縁無し印刷」を実行した場合に、用紙端部から外れて打ち捨てられたインクなど、用紙に付着せずに記録に寄与しなかったインクをいう。また、「廃インクタンク」とは、前記廃インクが導かれ、そこで乾燥させるために貯留するタンクをいう。
【００１３】
この特徴によれば、インク収容部には、当該インク収容部全体の連通を保ちつつ、廃インクの一方向への移動を妨げる堰となる壁が設けられているので、インク収容部に導入された廃インクを均一に分散させた状態でインク吸収材に吸収させることができる。また、廃インクタンクが傾斜または垂直姿勢となった場合には、インク収容部内の廃インクは重力によって下方に移動するが、その一方向への移動が堰となる壁によって妨げられるので廃インクタンク内の一箇所に廃インクが集中することが無く、堰となる壁によって分けられた領域の複数箇所に分散される。従って、インク吸収材はその分散された廃インクを保持すればよいこととなる。そのため、廃インクを確実に収容することができ、廃インクの漏れ出しを確実に防止することができる。
【００１４】
また、本発明の第２の態様に係る廃インクタンクは、前記第１の態様において、前記堰となる壁は、平面視Ｔ形状に成形されていることを特徴とする。この特徴によれば、堰となる壁が平面視Ｔ形状に成形されているので廃インクの貯留部を構成することができ、もって廃インクタンクからの廃インクの漏れ出しを確実に防ぐことができる。
【００１５】
また、本発明の第３の態様に係る廃インクタンクは、区画壁によって複数の区画エリアに区画されたインク収容部を構成するケーシングと、それぞれの区画エリアに配置されるインク吸収材とを備えており、前記インク吸収材の厚みが１２ｍｍ以下であることを特徴とする。この特徴によれば、インク吸収材の厚みが１２ｍｍ以下であるため、当該インク吸収材に吸収されている廃インクの蒸発効率を高めることができ、廃インクの乾燥を効率的に行うことができる。そのため、廃インクの漏れ出しを回避することが可能である。
【００１６】
また、本発明の第４の態様に係るインクジェット記録装置は、被記録媒体に記録を実行するインクジェット記録ヘッドと、前記記録ヘッドに対向して配置され、被記録媒体を支承するプラテンとを備えるインクジェット記録装置であって、前記プラテンの下方に、前記第１の態様から前記第３の態様のいずれかの態様に記載の廃インクタンクが設けられていることを特徴とする。
【００１７】
また、本発明の第５の態様に係る液体噴射装置は、被噴射媒体に液体を噴射する液体噴射ヘッドと、前記液体噴射ヘッドに対向して配置され、被噴射媒体を支承するプラテンとを備える液体噴射装置であって、前記プラテンの下方に、被噴射媒体に付着しなかった液体を収容する廃液体タンクが設けられており、前記廃液体タンクは、液体収容部を構成するケーシングと、前記液体収容部に配置される液体吸収材とを備えており、前記液体収容部には、当該液体収容部全体の連通を保ちつつ、廃液体の一方向への移動を妨げる堰となる壁が設けられていることを特徴とする。
【発明を実施するための最良の形態】
【００１８】
以下、本発明に係る廃インクタンク、及び「インクジェット記録装置」、「液体噴射装置」の一例としてのインクジェットプリンタ（以下、「プリンタ」という）について図面を参照しつつ説明する。ここで、図１はプリンタ１の要部斜視図であり、図２は同要部側断面図、図３及び図４は本実施形態に係る廃インクタンク１００の説明に供する図面である。なお、以下では図２の左方向（プリンタ後方側）を用紙搬送経路の「上流側」といい、右側（プリンタ前方側）を「下流側」ということとする。
【００１９】
プリンタ１には、「被記録媒体」、「被噴射媒体」の一例としての用紙Ｐに記録を実行する液体噴射手段の一例である記録実行手段として、キャリッジガイド軸（図示せず）に沿って主走査方向Ｘ（図２においては紙面前後方向）に往復可能なキャリッジ８１の底部に搭載されたインクジェット記録ヘッド８２が備えられている。この記録ヘッド８２は、用紙Ｐに向けて液体の一例であるインクを吐出（噴射）し、インクを当該用紙Ｐに付着させることで記録を実行するものである。
【００２０】
記録ヘッド８２の下方には、記録ヘッド８２と対向して当該記録ヘッド８２のヘッド面と用紙Ｐとの間でギャップ（いわゆる、ペーパーギャップＰＧ）を規定するプラテン７０が設けられている。そして、記録ヘッド８２とプラテン７０との間に用紙Ｐを主走査方向Ｘと直交する副走査方向Ｙに所定の搬送量で搬送する動作と、記録ヘッド８２を主走査方向Ｘに一往復させる間に記録ヘッド８２から用紙Ｐに向けてインクを噴射する動作とを交互に繰り返すことによって用紙Ｐに記録が行われる。
【００２１】
次に、用紙Ｐに記録を行う記録部を中心としてプリンタ１の構成について更に説明する。  
プリンタ１の底部（廃インクタンク１００の下方）に配設された用紙カセット（図示せず）から給送された用紙Ｐは、搬送用駆動ローラ５０ａと搬送用従動ローラ５０ｂとによって構成される搬送用ローラ５０によって搬送される。搬送用駆動ローラ５０ａは主走査方向に延在した長軸のローラから構成されており、一方、搬送用従動ローラ５０ｂは複数個設けられており、それぞれがローラホルダ５８によって従動回転可能に軸支されている。また、ローラホルダ５８は図示しない付勢手段からの付勢力を常に受けており、これにより搬送用従動ローラ５０ｂは常に搬送用駆動ローラ５０ａに圧接したニップ状態が保たれるようになっている。
【００２２】
搬送用ローラ５０によって挟持された状態で搬送される用紙Ｐは、記録ヘッド８２の下方の記録ポジションに導かれ、記録ヘッド８２及び用紙Ｐの動作によって用紙Ｐに記録信号に応じた記録が実行される。記録ヘッド８２とその下方において、これに対向して設けられるプラテン７０とのギャップＰＧは高精度の記録を実行する上で重要な要素となっており、用紙Ｐの厚さの変化に応じて適宜調節されるようになっている。
【００２３】
用紙Ｐと記録ヘッド８２との間のギャップＰＧを規定するプラテン７０の上面には、記録ヘッド８２と対向する面に直接、用紙Ｐを下方から支承するリブ７１が形成されている。また、プラテン７０の上面には、記録ヘッド８２から吐出され、用紙Ｐの端辺から外れて打ち捨てられるインクを吸収するための凹部７３が設けられており、これにより用紙Ｐの端部において余白無く印刷を行う、いわゆる「縁無し印刷」が実行可能となっている。
【００２４】
凹部７３には、凹部７３に至ったインクを吸収するインク吸収材７４が装着されている。このインク吸収材７４はインクの吸収性に優れると共に、適度な柔軟性を有する材料、例えばフォーム（発泡体）材料によって形成される。インク吸収材７４の形状は、プラテン７０の凹部７３に対して装着される所定の形状に形成される。
【００２５】
インク吸収材７４に吸収されたインクは、液体回収誘導経路の一例であるインク回収誘導経路（図示せず）を経て、プラテン７０の下方に配設されている廃液体タンクの一例である廃インクタンク１００に達し、当該廃インクタンク１００に収容される。なお、廃インクタンク１００については後述する。
【００２６】
記録ヘッド８２の下流側には、被噴射媒体排出手段の一例である、第１排出用駆動ローラ５１ａと第１排出用ギザローラ５１ｂとによって構成される第１排出用ローラ５１、及び第２排出用駆動ローラ５２ａと第２排出用ギザローラ５２ｂとによって構成される第２排出用ローラ５２が設けられ、これらの排出用ローラ５１，５２によって用紙Ｐが排出されるようになっている。排出用駆動ローラ５１ａ，５２ａは同期して回転するように構成され、一方、排出用ギザローラ５１ｂ，５２ｂはその外周に複数の歯を有する歯付きローラであり、それぞれローラホルダによって自由回転可能に軸支されている。
【００２７】
また、第１排出用ローラ５１の上流側近傍にはプラテン７０に一体成形された第１案内部５６が配置され、第２排出用ローラ５２の上流側近傍には廃インクタンク１００に一体成形された第２案内部５７が配置されている。これらの案内部５６，５７により用紙Ｐがスムースに排出用ローラ５１，５２に挟持されるため、用紙Ｐの排出動作が的確に実行される。また、第１案内部５６をプラテン７０と、第２案内部５７を廃インクタンク１００と一体に成形したことで、部品点数を低減することができる。
【００２８】
搬送用従動ローラ５０ｂは搬送用駆動ローラ５０ａよりその軸芯位置がやや下流側（プラテン７０側）に配設されていて、さらに第１排出用ギザローラ５１ｂは第１排出用駆動ローラ５１ａよりその軸芯位置がやや上流側（プラテン７０側）に配設されている。このような構成により、用紙Ｐは搬送用ローラ５０と第１排出用ローラ５１との間において僅かに下に凸となる「逆ぞり」と呼ばれる湾曲状態に保持され、記録ヘッド８２に対向する位置にある用紙Ｐはプラテン７０に押しつけられ、もって用紙Ｐの浮き上がりが防止されて正常に記録動作が実行されるようになっている。
【００２９】
次に本実施形態に係る廃インクタンク１００について説明する。  
本実施形態に係る廃インクタンク１００は、その内側にインク収容部１３を構成するケーシング１０と、インク収容部１３に配置されるインク吸収材１８とを備えている。インク収容部１３には、当該インク収容部１３全体の連通を保ちつつ、廃インクの一方向への移動を妨げる堰となる壁２０（以下単に壁２０ということがある）がケーシング１０に一体に設けられている。
【００３０】
本実施形態では、壁２０は図示の如く平面視「Ｔ」形状に成形されており、より詳しくは基端部がケーシング１０に連結され、廃インクタンク１００の長手方向に対して直交する方向（すなわち副走査方向）に延在した長部２１と、この長部２１の先端部に設けられ、長部２１に対して直角の方向（すなわち主走査方向）に延在した短部２２とから構成されている。壁２０は廃インクタンク１００の長手方向に所定の間隔をもって交互に配設されている。また、インク吸収材１８はインク収容部１３の形状に合わせて成形し、壁２０に相当する箇所にはその形状に合わせて切り込みを設けた、全体として単一のものを用いることができる。
【００３１】
インク回収誘導経路を経て廃インクタンク１００に導入された廃インクは、インク吸収材１８に吸収されるとともに、壁２０が設けられているもののインク収容部１３全体では図示の如く連通が保たれているので、所定時間かけてインク収容部１３全体に、均一に分散されて吸収される。
【００３２】
用紙Ｐに記録を実行する場合には１桁側（符号Ｈ側）が常に基準となる。そのため、縁無し印刷を実行した場合には用紙Ｐのサイズによらず１桁側には多くのインクが打ち捨てられ、廃インクタンク１００においても１桁側から導入される廃インク量が相対的に多くなる。その結果、インク収容部１３内の１桁側に廃インクが偏在する虞があるが、図示の如く廃インクタンク１００のインク収容部１３は全体として連通が保たれているので、廃インクをインク収容部１３の全体に、均一に分散させることができる。
【００３３】
また、ケーシング１０にはインク吸収材１８を係止する係止手段（図示せず）が設けられている。これにより、インク吸収材１８のケーシング１０からの離間（浮き上がり）を回避することができ、特にインク吸収材１８の直上に配置されている第１排出ローラ５１（図２参照）の廃インクによる汚損を確実に防止することができる。
【００３４】
ここで、本実施形態に係る廃インクタンク１００の作用について説明する。  
例えば、プリンタ１が、１桁側が下となって横に９０度寝かされた状態（図４において線分Ａが重力方向となった姿勢）においては、長部２１は重力方向に対して直交する方向（水平方向）となり、一方、短部２２は重力方向となる。この状態においては、インク吸収材１８に吸収されている廃インクが重力により下方に移動するが、例えばインク収容部の領域１３ｂに吸収されている廃インクは下方に移動して領域１３ｂの下方に位置する壁２０ｂの長部２１ｂによって堰き止められる。そして長部２１ｂの上側に蓄積していき、横方向への移動は短部２２ｂによって堰き止められる。すなわち、長部２１ｂは重力により下方に移動する廃インクを妨げる堰として機能し、短部２２ｂは長部２１ｂによって堰き止められた廃インクが横方向に移動して下段の領域１３ｃに移動することを妨げる堰として機能し、その結果、壁２０ｂの上方には所定量の廃インクを貯留することができる貯留部が構成される。なお、短部２２ｂを超えた廃インクは下段の領域１３ｃに達するが、ここでも上述しように壁２０ｃによって堰き止められるため、続けて下方に移動することがほとんど無く、最下段のインク吸収材領域まで廃インクが下方に移動することを回避することができる。
【００３５】
また、プリンタ１が、１桁側が下となって横に９０度寝かされ、さらに前方にある程度傾けられた状態（図４において線分Ｂが重力方向となる姿勢）においては、インク吸収材１８に吸収されている廃インクが重力により下方に移動するが、例えばインク収容部の領域１３ｂに吸収されている廃インクは重力により下方に移動して領域１３ｂの下方に位置する壁２０ｂの長部２１ｂによって堰き止められるとともに当該長部２１ｂに沿ってさらに下方に移動し、短部２２ｂによって堰き止められる。このような姿勢においては壁２０ｂによって構成される廃インクの貯留部の容積が小さくなるために短部２２ｂを超えて廃インクが領域１３ｃに移動することがある。短部２２ｂを超えて領域１３ｂから領域１３ｃに移動した廃インクは、領域１３ｃの下方に位置する壁２０ｃによって確実に堰き止められる。なお、領域１３ｃに吸収されていた廃インクも壁２０ｃによって堰き止められる。
【００３６】
このようにインク収容部に壁を設けなかった場合には、インク収容部が垂直方向に長くなり、インク吸収材に吸収されている全ての廃インクが下方に一様に移動して短時間で下端部に集中する（水頭値が大きくなる）ため廃インクを保持することができなくなって漏れ出すおそれがあった。
【００３７】
しかし、本発明に係る廃インクタンクでは、インク収容部全体の連通を保ちつつ、壁によってインク収容部が複数の領域に分かれているので廃インクが一箇所に集中することが無く、各領域のインク吸収材は該当領域の廃インクを保持すれば足りるので、廃インクの漏れ出しを確実に防止することができる。また、堰となる壁が設けられていることにより、廃インクがインク収容部の最下部に至るまでの経路長を長くすることができ、廃インクの漏れ出しをより一層確実に回避することができる。
【００３８】
また、本発明に係る廃インクタンクでは大型のインク吸収材が不要となるので、本実施形態ではインク吸収材１８の厚みを１２ｍｍ以下、好ましくは８ｍｍ以下、さらに好ましくは５．５ｍｍ程度にまで薄くする（容積を小さくする）ことが可能となり、もってプリンタ１の小型化、薄型化を図ることが可能となる。また、インク吸収材１８の厚みを薄く設定することが可能となることから、廃インクと空気との接触頻度を高めることで廃インクの蒸発を促進させることができ、もって廃インクの乾燥を効率的に行うことができる。なお、堰となる壁は、廃インクの一方向への移動を妨げることが可能な形状であれば特に限定されるものではない。
【００３９】
次に本発明の別の実施形態に係る廃インクタンク２００について図５を参照しつつ説明する。  
本実施形態に係る廃インクタンク２００は、その内部にインク収容部を構成するケーシング１０と、インク収容部に配置されるインク吸収材を備えている。インク収容部はケーシング１０に一体成形された区画壁３０によって２つの区画エリア１３ａ，１３ｂに区画されており、それぞれの区画エリア１３ａ，１３ｂにはインク吸収材１８ａ，１８ｂが配置されている。
【００４０】
本実施形態に係る廃インクタンク２００では、インク吸収材１８ａ，１８ｂは厚みが１２ｍｍ以下、好ましくは８ｍｍ以下、より好ましくは５．５ｍｍ程度となるように構成されている。インク吸収材の厚みが上記範囲にあることにより、インク吸収材に吸収された廃インクと空気との接触頻度を高めることができ、廃インクの溶媒の蒸発を促進させることが可能である。その結果、廃インクの乾燥を効率的に行うことができる。また、インク収容部１３を複数（本実施形態では２つ）に区画することでそれぞれのインク吸収材１８ａ，１８ｂが吸収して保持すべき廃インク量を減らすことでき、水頭値が小さくなるため廃インクの吸収効率を向上させることができる。
【００４１】
縁無し印刷を実行した場合には用紙Ｐのサイズによらず常に１桁側（符号Ｈ側）にはインクが打ち捨てられるので、廃インクタンク２００においても１桁側から導入される廃インク量が相対的に多くなり、その結果、インク収容部１３ａ側のインク吸収材１８ａに吸収される廃インク量が相対的に多くなる。そのため、プリンタが横に９０度寝かされた状態（図５において線分Ｃが重力方向となった姿勢）では、特にインク収容部１３ａから廃インクが漏れ出す虞が相対的に高まる。
【００４２】
しかし本発明に係る廃インクタンクは、上述したようにインク吸収材の厚みが１２ｍｍ以下、好ましくは８ｍｍ以下、より好ましくは５．５ｍｍ以下となるように構成されているため、廃インクの蒸発効率が高く、廃インクの乾燥を効率的に行うことができる。そのため、廃インクを乾燥させることでインク収容部からの廃インクの漏れ出しを回避することが可能である。
【００４３】
なお、インク収容部の区画エリア数、区画形状は特に限定されるものではなく、また、それぞれの区画エリアに異なる厚みのインク吸収材を配置することもできる。
【図面の簡単な説明】
【００４４】
【図１】プリンタの要部斜視図。
【図２】プリンタの要部側断面図。
【図３】廃インクタンクの説明に供する図。
【図４】廃インクタンクの説明に供する図。
【図５】別の実施形態に係る廃インクタンクの説明に供する図。
【符号の説明】
【００４５】
１  プリンタ、１０  ケーシング、１３  インク収容部、１８  インク吸収材、
２０  壁、２１  長部、２２  短部、３０  区画壁、５０  搬送用ローラ、
５０ａ  搬送用駆動ローラ、５０ｂ  搬送用従動ローラ、５１  第１排出用ローラ、
５１ａ  第１排出用駆動ローラ、５１ｂ  第１排出用ギザローラ、
５２  第２排出用ローラ、５２ａ  第２排出用駆動ローラ、
５２ｂ  第２排出用ギザローラ、５６  第１案内部、５７  第２案内部、
７０  プラテン、７１  リブ、７３  凹部、７４  インク吸収材、８１  キャリッジ、
８２  記録ヘッド、１００，２００  廃インクタンク、Ｘ  主走査方向、
Ｙ  副走査方向、Ｐ  用紙
【図１】
2005297495.tif 000003
【図２】
2005297495.tif 000004
【図３】
2005297495.tif 000005
【図４】
2005297495.tif 000006
【図５】
2005297495.tif 000007